【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
原稿載置面に載置された原稿の画像を読み取る画像読取部と、
前記原稿載置面に載置された原稿を前記原稿載置面に押圧する原稿押圧体と、
前記原稿押圧体を前記画像読取部に軸支し、該原稿押圧体を前記原稿載置面に対して開閉可能に保持する第１の保持手段と、
前記原稿押圧体を前記原稿載置面に対して軸支することなく、前記第１の保持手段と共に前記原稿押圧体を前記原稿載置面に対して開閉可能に保持すると共に前記原稿押圧体の開閉に伴って回動し、該回動の回動中心は前記第１の保持手段の回動中心と実質的に同心である第２の保持手段と、を備えた、
ことを特徴とする画像読取装置。
【請求項２】
前記第２の保持手段は、
前記原稿押圧体の回動基端部に設けられた摺動部と、
前記画像読取部に設けられて、前記原稿押圧体を前記原稿載置面に対して開閉可能とするように前記摺動部が摺動する被摺動部と、を備え、
前記第２の保持手段は、前記摺動部が前記被摺動部に摺動することで、前記原稿押圧体の開閉に伴って回動する、
ことを特徴とする請求項１に記載の画像読取装置。
【請求項３】
前記第１の保持手段は、
前記原稿押圧体に固定される固定部と、
前記画像読取部に嵌合される嵌合部と、
前記固定部と前記嵌合部とを回動可能に連結する連結軸と、を有し、
前記第２の保持手段は、前記摺動部と前記被摺動部の少なくとも一方に円弧面を有し、
前記円弧面の曲率中心は、前記連結軸と同心である、
ことを特徴とする請求項２に記載の画像読取装置。
【請求項４】
前記第１の保持手段は、
前記原稿押圧体に固定される固定部と、
前記画像読取部に嵌合される嵌合部と、
前記固定部と前記嵌合部とを回動可能に連結する連結軸と、を有し、
前記第２の保持手段は、
前記原稿押圧体の回動基端部に設けられた回転体と、
前記画像読取部に設けられて、前記原稿押圧体を前記原稿載置面に対して開閉可能とするように前記回転体を受け止める受け部と、を備え、
前記回転体の回転中心は、前記連結軸と同心である、
ことを特徴とする請求項１に記載の画像読取装置。
【請求項５】
前記第２の保持手段の両側に設けられて、前記原稿押圧体が前記第１の保持手段の回動軸心方向へ移動することを阻止する移動阻止部を備えた、
ことを特徴とする請求項１乃至４のいずれか１項に記載の画像読取装置。
【請求項６】
前記原稿押圧体を前記原稿載置面に対して軸支することなく、該原稿押圧体を前記原稿載置面に対して開閉可能に保持する前記第２の保持手段とは異なる第３の保持手段をさらに備え、
前記第１の保持手段は、前記第２の保持手段と前記第３の保持手段との間に設けられている、
ことを特徴とする請求項１乃至５のいずれか１項に記載の画像読取装置。
【請求項７】
請求項１乃至６のいずれか１項に記載の画像読取装置と、
前記画像読取装置によって読み取られた画像情報をシートに形成する画像形成部と、を備えた、
ことを特徴とする画像形成装置。
【請求項８】
原稿載置面に載置された原稿の画像を読み取る画像読取部と、
前記原稿載置面に載置された原稿を前記原稿載置面に押圧する原稿押圧体と、
前記原稿押圧体を前記画像読取部に軸支し、該原稿押圧体を前記原稿載置面に対して開閉可能に保持する第１の保持手段と、
前記原稿押圧体を前記原稿載置面に対して軸支することなく、前記原稿押圧体の開方向への回動中に前記第１の保持手段と共に前記原稿押圧体を保持する第２の保持手段と、を備えた、
ことを特徴とする画像読取装置。
【請求項９】
前記第２の保持手段は、
前記原稿押圧体の回動基端部に設けられた摺動部と、
前記画像読取部に設けられて、前記原稿押圧体を前記原稿載置面に対して開閉可能とするように前記摺動部が摺動する被摺動部と、を備えた、
ことを特徴とする請求項８に記載の画像読取装置。
【請求項１０】
前記第１の保持手段は、
前記原稿押圧体に固定される固定部と、
前記画像読取部に嵌合される嵌合部と、
前記固定部と前記嵌合部とを回動可能に連結する連結軸と、を有し、
前記第２の保持手段は、
前記摺動部と前記被摺動部の少なくとも一方に円弧面を有し、
前記円弧面の曲率中心は、前記連結軸と同心である、
ことを特徴とする請求項９に記載の画像読取装置。
【請求項１１】
前記第１の保持手段は、
前記原稿押圧体に固定される固定部と、
前記画像読取部に嵌合される嵌合部と、
前記固定部と前記嵌合部とを回動可能に連結する連結軸と、を有し、
前記第２の保持手段は、
前記原稿押圧体の回動基端部に設けられた回転体と、
前記画像読取部に設けられて、前記原稿押圧体を前記原稿載置面に対して開閉可能とするように前記回転体を受け止める受け部と、を備え、
前記回転体の回転中心は、前記連結軸と同心である、
ことを特徴とする請求項８に記載の画像読取装置。
【請求項１２】
前記第２の保持手段の両側に設けられて、前記原稿押圧体が前記第１の保持手段の回動軸心方向へ移動することを阻止する移動阻止部を備えた、
ことを特徴とする請求項８乃至１１のいずれか１項に記載の画像読取装置。
【請求項１３】
前記原稿押圧体を前記原稿載置面に対して軸支することなく、該原稿押圧体を前記原稿載置面に対して開閉可能に保持する前記第２の保持手段とは異なる第３の保持手段をさらに備え、
前記第１の保持手段は、前記第２の保持手段と前記第３の保持手段との間に設けられている、
ことを特徴とする請求項８乃至１２のいずれか１項に記載の画像読取装置。
【請求項１４】
請求項８乃至１３のいずれか１項に記載の画像読取装置と、
前記画像読取装置によって読み取られた画像情報をシートに形成する画像形成部と、を備えた、
ことを特徴とする画像形成装置。
【手続補正２】
【補正対象書類名】明細書
【補正対象項目名】０００６
【補正方法】変更
【補正の内容】
【０００６】
本発明は、構造を複雑にせず、原稿押圧体を画像読取部に対して容易に開閉でき、機能品質や製品の品位を損なうことを防止する画像読取装置、及びこれを備えた画像形成装置とを提供することにある。
【手続補正３】
【補正対象書類名】明細書
【補正対象項目名】０００７
【補正方法】変更
【補正の内容】
【０００７】
本発明の画像読取装置は、原稿載置面に載置された原稿の画像を読み取る画像読取部と、前記原稿載置面に載置された原稿を前記原稿載置面に押圧する原稿押圧体と、前記原稿押圧体を前記画像読取部に軸支し、該原稿押圧体を前記原稿載置面に対して開閉可能に保持する第１の保持手段と、前記原稿押圧体を前記原稿載置面に対して軸支することなく、前記第１の保持手段と共に前記原稿押圧体を前記原稿載置面に対して開閉可能に保持すると共に前記原稿押圧体の開閉に伴って回動し、該回動の回動中心は前記第１の保持手段の回動中心と実質的に同心である第２の保持手段と、を備えた、ことを特徴としている。
また、本発明の画像読取装置は、原稿載置面に載置された原稿の画像を読み取る画像読取部と、前記原稿載置面に載置された原稿を前記原稿載置面に押圧する原稿押圧体と、前記原稿押圧体を前記画像読取部に軸支し、該原稿押圧体を前記原稿載置面に対して開閉可能に保持する第１の保持手段と、前記原稿押圧体を前記原稿載置面に対して軸支することなく、前記原稿押圧体の開方向への回動中に前記第１の保持手段と共に前記原稿押圧体を保持する第２の保持手段と、を備えた、ことを特徴としている。
【手続補正４】
【補正対象書類名】明細書
【補正対象項目名】０００９
【補正方法】変更
【補正の内容】
【０００９】
本発明の画像読取装置によれば、構造を複雑にせず、原稿押圧体を画像読取部に対して容易に開閉でき、開閉蓋の機能品質や製品の品位を損なうことを防止することができる。
【手続補正５】
【補正対象書類名】明細書
【補正対象項目名】００２７
【補正方法】変更
【補正の内容】
【００２７】
この状態で、開閉蓋２を手前側に倒す（閉方向Ｃに倒す）と、開閉蓋２は、支持機構３００の開閉ヒンジ３と１対の補助ヒンジ４とを回動中心にして、回動する。このとき、レバー４１の摺動部４１ａが被摺動面４２上を摺動する。なお、レバー４１と、被摺動面４２が形成された画像読取部５００は、摩擦係数の小さいＰＯＭ等の合成樹脂による成型品である。このため、レバー４１が被摺動面４２上を円滑に摺動するので、開閉蓋２は、速やかに閉められる。また、開閉蓋２の回転中、レバー４１の両側の突出部４１ａｃと凹部４３の側壁４３ｂとが対向している。このため、開閉蓋２は、副走査方向Ａへ移動するのを阻止されて、プラテンガラス５０１に載置された原稿をプラテンガラス５０１上で位置をずらすことなく、確実に押圧することができる。